(57)【特許請求の範囲】
【請求項１】
平面形状が長方形のエアコン室外機の下端を受ける下部保護体とエアコン室外機の上端に被さるように下面にエアコン室外機の上端が嵌入する凹部が形成されてなる上部保護体とからなり、前記下部保護体は段ボール板により作られて、上端が開口する底受け体と、この底受け体の内部に短辺側の１組の対向側辺に沿ってセットされる１対の発泡スチロール製の緩衝材とから構成され、前記上部保護体は前記発泡スチロール製の緩衝材と同程度の厚みを全体に備えポリエチレンテレフタレートや硬質ゴムなどの樹脂材料により作られ、前記下部保護体と上部保護体に亘って複数箇所でバンドが掛けられてなることを特徴とするエアコン室外機の包装構造。
【請求項２】
上部保護体はエアコン室外機の上端全体に亘って被さるように平面形状が矩形で下面にエアコン室外機の上端が嵌入する凹部が形成されていることを特徴とする請求項１記載のエアコン室外機の包装構造。
【請求項３】
平面形状が長方形のエアコン室外機の下端を受ける下部保護体とエアコン室外機の上端に短辺側の１組の対向側辺側で被さるように下面にエアコン室外機の上端が嵌入する凹部が形成されてなる１対の上部保護体とこの上部保護体の上から被さり段ボール板により作られて下端が開口する上蓋体とからなり、前記下部保護体は段ボール板により作られて、上端が開口する底受け体と、この底受け体の内部に短辺側の１組の対向側辺に沿ってセットされる１対の発泡スチロール製の緩衝材とから構成され、前記上部保護体は前記発泡スチロール製の緩衝材と同程度の厚みを全体に備えポリエチレンテレフタレートや硬質ゴムなどの樹脂材料により作られ、前記下部保護体と上蓋体に亘って複数箇所でバンドが掛けられてなることを特徴とするエアコン室外機の包装構造。
【請求項４】
平面形状が長方形のエアコン室外機の下端を受ける下部保護体とエアコン室外機の上端に短辺側の１組の対向側辺側で被さるように下面にエアコン室外機の上端角部に当てがわれる凹部が形成されてなる４つの上部保護体とこの上部保護体の上から被さり段ボール板により作られて下端が開口する上蓋体とからなり、前記下部保護体は段ボール板により作られて、上端が開口する底受け体と、この底受け体の内部に短辺側の１組の対向側辺に沿ってセットされる１対の発泡スチロール製の緩衝材とから構成され、前記上部保護体は前記発泡スチロール製の緩衝材と同程度の厚みを全体に備えポリエチレンテレフタレートや硬質ゴムなどの樹脂材料により作られ、前記下部保護体と上蓋体に亘って複数箇所でバンドが掛けられてなることを特徴とするエアコン室外機の包装構造。
【発明の詳細な説明】
【０００１】
【発明の属する技術分野】
本発明はエアコン室外機の包装構造、特にエアコン室外機の包装に使用される包装部材をエアコン室外機の設置時の載せ台として再利用できるようにした包装構造に関するものである。
【０００２】
【従来の技術】
従来からエアコン室外機の設置時の載せ台として例えばコンクリートブロックからなるものや、合成樹脂製の専用台が知られている。
【０００３】
しかしながら、これらの載せ台はエアコン室外機の設置時に別途用意しなければならないという問題があった。
【０００４】
【発明が解決しようとする課題】
本発明はこのような課題を解決するもので、前記従来のようなコンクリートブロックや、合成樹脂製の専用台を別途用意する必要がなく、包装に使用される包装部材をエアコン室外機の設置時の載せ台として再利用できるようにした包装構造を提供することを目的とするものである。
【０００５】
【課題を解決するための手段】
この課題を解決するために本発明は、平面形状が長方形のエアコン室外機の下端を受ける下部保護体とエアコン室外機の上端に被さるように下面にエアコン室外機の上端が嵌入する凹部が形成されてなる上部保護体とからなり、前記下部保護体は段ボール板により作られて、上端が開口する底受け体と、この底受け体の内部に短辺側の１組の対向側辺に沿ってセットされる１対の発泡スチロール製の緩衝材とから構成され、前記上部保護体は前記発泡スチロール製の緩衝材と同程度の厚みを全体に備えポリエチレンテレフタレートや硬質ゴムなどの樹脂材料により作られ、前記下部保護体と上部保護体に亘って複数箇所でバンドが掛けられてなることを要旨とするものである。また本発明は、上部保護体はエアコン室外機の上端全体に亘って被さるように平面形状が矩形で下面にエアコン室外機の上端が嵌入する凹部が形成されていることを要旨とするものである。また本発明は、平面形状が長方形のエアコン室外機の下端を受ける下部保護体とエアコン室外機の上端に短辺側の１組の対向側辺側で被さるように下面にエアコン室外機の上端が嵌入する凹部が形成されてなる１対の上部保護体とこの上部保護体の上から被さり段ボール板により作られて下端が開口する上蓋体とからなり、前記下部保護体は段ボール板により作られて、上端が開口する底受け体と、この底受け体の内部に短辺側の１組の対向側辺に沿ってセットされる１対の発泡スチロール製の緩衝材とから構成され、前記上部保護体は前記発泡スチロール製の緩衝材と同程度の厚みを全体に備えポリエチレンテレフタレートや硬質ゴムなどの樹脂材料により作られ、前記下部保護体と上蓋体に亘って複数箇所でバンドが掛けられてなることを要旨とするものである。さらに本発明は、平面形状が長方形のエアコン室外機の下端を受ける下部保護体とエアコン室外機の上端に短辺側の１組の対向側辺側で被さるように下面にエアコン室外機の上端角部に当てがわれる凹部が形成されてなる４つの上部保護体とこの上部保護体の上から被さり段ボール板により作られて下端が開口する上蓋体とからなり、前記下部保護体は段ボール板により作られて、上端が開口する底受け体と、この底受け体の内部に短辺側の１組の対向側辺に沿ってセットされる１対の発泡スチロール製の緩衝材とから構成され、前記上部保護体は前記発泡スチロール製の緩衝材と同程度の厚みを全体に備えポリエチレンテレフタレートや硬質ゴムなどの樹脂材料により作られ、前記下部保護体と上蓋体に亘って複数箇所でバンドが掛けられてなることを要旨とするものである。
【０００６】
この構成により、前記従来のようなコンクリートブロックや、合成樹脂製の専用台を別途用意する必要がなく、包装に使用されるポリエチレンテレフタレートや硬質ゴムなどの樹脂材料により作られた上部保護体をエアコン室外機の設置時の載せ台として再利用できるようにした包装構造を提供することができる。
【０００７】
【発明の実施の形態】
以下、本発明の実施の形態について、図面に基づいて説明する。
先ず、図１〜図５に示す第１の実施の形態について説明すると、１は平面形状が長方形のエアコン室外機２の包装時にエアコン室外機２の下端を受ける下部保護体で、この下部保護体１は段ボール板により作られて、平面形状が矩形の底板部３と、この底板部３の２組の対向側辺から上向きに連設されて高さの低い側板部４，４、５，５とから構成されて上端が開口する底受け体６と、この底受け体６の内部に短辺側の１組の対向側辺に沿ってセットされる１対の発泡スチロール製の緩衝材７，７とから構成され、この緩衝材７，７の上面の凹部７ａ，７ａにエアコン室外機２の下端が嵌め込まれてエアコン室外機２の下端が受けられるように構成されている。８はエアコン室外機２の包装時にエアコン室外機２の上端に被さる上部保護体で、この上部保護体８は樹脂材料により作られていて、平面形状が矩形で下面にエアコン室外機２の上端が嵌入する凹部９が形成されている。この上部保護体８はそれ自体で緩衝効果を発揮できるように下部保護体１の底受け体６にセットされる発泡スチロール製の緩衝材７，７と同程度の厚みを全体に備えている。なお、前記エアコン室外機２の下端には据え付け用の脚金具１０が下方に突出するように設けられており、前記緩衝材７，７の上面の凹部７ａ，７ａにエアコン室外機２の下端を嵌め込んだ状態において脚金具１０が緩衝材７，７に当たらないようになっている。また、前記上部保護体８の凹部９には上部保護体８を裏向けて凹部９にエアコン室外機２の下端を嵌入させたときに前記脚金具１０が嵌まり込む小さな凹部９ａ，…が形成されている。
【０００８】
上記構成の下部保護体１の底受け体６にセットされる緩衝材７，７の凹部７ａ，７ａにエアコン室外機２の下端を嵌め合わせ、その状態でエアコン室外機２の上端に上部保護体８の凹部９を嵌め合わせ、下部保護体１と上部保護体８に亘って複数箇所でバンド１７を掛けることによりエアコン室外機２の包装がなされるのである。そして、この包装状態からエアコン室外機２を設置する際は、前記バンド１７を外し、下部保護体１と上部保護体８をエアコン室外機２から取り除き、前記上部保護体８を裏向けて凹部９が上向きになるように地面上に置き、この上からエアコン室外機２をエアコン室外機２の下端が凹部９に嵌まり込むように載せることにより、上部保護体８をエアコン室外機２の設置時の載せ台として利用するものである。即ち、上部保護体８は前述のように下部保護体１の底受け体６にセットされる発泡スチロール製の緩衝材７，７と同程度の厚みを全体に備えていることから、これをエアコン室外機２の設置時の載せ台として利用した場合、エアコン室外機２の重量を受けるだけの強度を十分に備え、耐荷重性に問題はない。また、上部保護体８の材料である樹脂としてはポリエチレンテレフタレートや硬質ゴムなどのリサイクル原料を使用することが可能であるが、特に耐候性のあるものが望ましい。
【０００９】
次に、図６〜図９に示す第２の実施の形態について説明すると、下部保護体１の底受け体６に緩衝材７，７をセットし、その緩衝材７，７の凹部７ａ，７ａにエアコン室外機２の下端を嵌め合わせる点については第１の実施の形態と同様であるが、エアコン室外機２の上端に短辺側の１組の対向側辺側で被さり第１の実施の形態の上部保護体８と同様に樹脂材料により作られて下部保護体１の緩衝材７，７を上下逆にした形状を呈し下面に凹部１１ａ，１１ａを有する１対の上部保護体１１，１１と、この上部保護体１１，１１の上から被さり前記底受け体６を上下逆にした形状を呈し段ボール板により作られ下端が開口する上蓋体１２とによりエアコン室外機２の上端を保護している点で前記第１の実施の形態と異なっている。なお、前記上蓋体１２は平面形状が矩形の天板部１３と、この天板部１３の２組の対向側辺から下向きに連設された高さの低い側板部１４，１４、１５，１５とから構成されて下端が開口している。
【００１０】
この第２の実施の形態において、下部保護体１の底受け体６にセットされる緩衝材７，７の凹部７ａ，７ａにエアコン室外機２の下端を嵌め合わせ、その状態でエアコン室外機２の上端に上部保護体１１，１１の凹部１１ａ，１１ａを嵌め合わせ、この上部保護体１１，１１の上から上蓋体１２を被せて、下部保護体１と上蓋体１２に亘って複数箇所でバンド１７を掛けることによりエアコン室外機２の包装がなされるのである。そして、この包装状態からエアコン室外機２を設置する際は、前記バンド１７を外し、下部保護体１と上部保護体１１，１１および上蓋体１２をエアコン室外機２から取り除き、前記上部保護体１１，１１をエアコン室外機２の設置時の載せ台として利用するようにしたものである。即ち、上部保護体１１，１１を裏向けて凹部１１ａ，１１ａが上向きになるように地面上に置き、この上からエアコン室外機２をエアコン室外機２の下端が凹部１１ａ，１１ａに嵌まり込むように載せることにより、上部保護体１１，１１をエアコン室外機２の設置時の載せ台として利用するものである。なお、上部保護体１１，１１の凹部１１ａ，１１ａにエアコン室外機２の下端を嵌め込んだ状態において脚金具１０が上部保護体１１，１１に当たらないようになっている。
【００１１】
さらに、図１０〜図１３に示す第３の実施の形態について説明すると、この第３の実施の形態は第２の実施の形態の変形例で、第２の実施の形態の各上部保護体１１の長さ方向中間部を切除し、下面にエアコン室外機２の上端角部に当てがわれる凹部１６ａを有する４つの上部保護体１６をエアコン室外機２の上端角部に当てがい、この上部保護体１６の上から前記第２の実施の形態と同様の上蓋体１２を被せてエアコン室外機２の上端を保護するようにしたものである。他の構成は第２の実施の形態と同様である。
【００１２】
この第３の実施の形態において、包装状態からエアコン室外機２を設置する際は、バンド１７を外し、下部保護体１と上部保護体１６および上蓋体１２をエアコン室外機２から取り除き、４つの上部保護体１６でエアコン室外機２の下端における４つの角部を受けるようにしたものである。即ち、上部保護体１６を裏向けて凹部１６ａが上向きになるように平面形状が長方形のエアコン室外機２の下端角部を受ける位置で地面上に置き、この上からエアコン室外機２をエアコン室外機２の下端が凹部１６ａに嵌まり込むように載せることにより、上部保護体１６をエアコン室外機２の設置時の載せ台として利用するものである。
【００１３】
【発明の効果】
以上のように本発明によれば、前記従来のようなコンクリートブロックや、合成樹脂製の専用台を別途用意する必要がなく、包装に使用されるポリエチレンテレフタレートや硬質ゴムなどの樹脂材料により作られた上部保護体をエアコン室外機の設置時の載せ台として再利用できるようにした包装構造を提供することができる。
【図面の簡単な説明】
【図１】本発明の第１の実施の形態におけるエアコン室外機の包装前の状態を示す分解斜視図である。
【図２】同上部保護体を下方から見た斜視図である。
【図３】同エアコン室外機の包装状態を示す斜視図である。
【図４】同エアコン室外機の包装状態を示す断面図である。
【図５】同エアコン室外機の設置状態を示す斜視図である。
【図６】本発明の第２の実施の形態におけるエアコン室外機の包装前の状態を示す分解斜視図である。
【図７】同エアコン室外機の包装状態を示す斜視図である。
【図８】同エアコン室外機の包装状態を示す断面図である。
【図９】同エアコン室外機の設置状態を示す斜視図である。
【図１０】本発明の第３の実施の形態におけるエアコン室外機の包装前の状態を示す分解斜視図である。
【図１１】同エアコン室外機の包装状態を示す斜視図である。
【図１２】同エアコン室外機の包装状態を示す断面図である。
【図１３】同エアコン室外機の設置状態を示す斜視図である。
【符号の説明】
１          下部保護体
２          エアコン室外機
３          底板部
４，５      側板部
６          底受け体
７          緩衝材
８          上部保護体
９          凹部
９ａ        凹部
１０          脚金具
１１          上部保護体
１１ａ        凹部
１２          上蓋体
１３          天板部
１４，１５    側板部
１６          上部保護体
１６ａ        凹部
１７          バンド
【図１】
0004467156.tif 000002
【図２】
0004467156.tif 000003
【図３】
0004467156.tif 000004
【図４】
0004467156.tif 000005
【図５】
0004467156.tif 000006
【図６】
0004467156.tif 000007
【図７】
0004467156.tif 000008
【図８】
0004467156.tif 000009
【図９】
0004467156.tif 000010
【図１０】
0004467156.tif 000011
【図１１】
0004467156.tif 000012
【図１２】
0004467156.tif 000013
【図１３】
0004467156.tif 000014